(57)【要約】      （修正有）【課題】載置スペースに合わせて形態を変化させることができるマウスパッドを提供する。【解決手段】基板２の表面全面に接着して全面マウスパッド層３が設けられ、前記基板の裏面の幅方向中央には、基板２の長手方向全長に亘って切込み２１が形成されることにより、基板２の左右が翼部として構成され、前記左右の翼部の少なくとも一方の裏面には、印刷により半面マウスパッド層４が形成され、前記切込みは、基板表面側に連接薄膜部２２を残す様に形成しマウスパッドを構成する。【選択図】図１
0003155347.tif 000002
【実用新案登録請求の範囲】
【請求項１】
基板の表面全面に接着して全面マウスパッド層が設けられ、
前記基板の裏面の幅方向中央には、基板の長手方向全長に亘って切込みが形成されることにより、基板の左右が翼部として構成され、
前記左右の翼部の少なくとも一方の裏面には、印刷により半面マウスパッド層が形成され、
前記切込みは、基板表面側に連接薄膜部を残して形成される
ことを特徴とするマウスパッド。
【考案の詳細な説明】
【技術分野】
【０００１】
本考案は、コンピュータに付設されたマウスの操作を補助するためにマウスの下に敷かれて使用されるマウスパッドに関する。
【背景技術】
【０００２】
マウスの操作を補助するために使用されるマウスパッドは薄型かつ剛性のあるものが開発され、マウスの操作性の向上が図られている。
【先行技術文献】
【特許文献】
【０００３】
【特許文献１】特願２０００−３４２５９８
【考案の概要】
【考案が解決しようとする課題】
【０００４】
近年、携帯可能な小型のコンピュータが開発されたことにより、外出先でマウス操作が必要となる機会が増加している。しかし、外出先ではカフェのテーブル上や新幹線の座席テーブル上等の狭い場所にＰＣを載置する場合に、マウスパッドの載置スペースまで十分に取れないという問題が生じていた。一方、マウスの良好な操作性を考慮したマウスパッドは、薄型に形成されたものであってもマウスパッドを構成する樹脂板が備える剛性により、載置スペースに合わせて形態を変化させることはできなかった。
【課題を解決するための手段】
【０００５】
そこで上記課題を解決するため、本考案に係るマウスパッドは、基板の表面全面に接着して全面マウスパッド層が設けられ、前記基板の裏面の幅方向中央には、基板の長手方向全長に亘って切込みが形成されることにより、基板の左右が翼部として構成され、前記左右の翼部の少なくとも一方の裏面には、印刷により半面マウスパッド層が形成され、前記切込みは、基板表面側に連接薄膜部を残して形成されることを特徴とする。
【０００６】
基板の裏面の幅方向中央に形成された切込みは、基板の長手方向全長に亘って切り込まれている。また、当該切込みは基板の裏面から切込まれ、基板の表面側には連接薄膜部が形成されて残るように形成されている。従って、基板表面は全面において同一平面上に繋がった状態に構成される。このような構成により、マウスパッドを折り畳む操作と広げる操作を繰り返しても切込み部分から基板と全面マウスパッド層との剥がれが生じにくく、商品寿命を長く保つことができる。
【０００７】
基板はポリエチレンテレフタレート（ＰＥＴ）からなることが好ましい。ＰＥＴは無公害性であると共に、全面マウスパッド層及び下面層を印刷によって形成する場合に、基板がＰＥＴであることで基板の表裏面と全面マウスパッド層及び下面層を強固に密着して形成させることができる。また、基板は前記ＰＥＴに代えてポリカーボネート、ポリ塩化ビニル、もしくはポリプロピレン等の樹脂製薄板、又は金属薄板、木材薄板などを用いて形成することもできる。
【０００８】
全面マウスパッド層は、基板の表面全面を一葉に覆う層であることが好ましい。マウスの操作を全面マウスパッド層の全表面において滑らかに行うことができるからである。
【０００９】
また、全面マウスパッド層は、基板の連接薄膜部を折り返し線として折り返し操作を容易とするために、１０マイクロメートル以上２５０マイクロメートル以下の厚さを有する層とすることが好ましい。さらに全面マウスパッド層の耐久性を保持するために厚みは５０マイクロメートル以上あることが好ましく、また、折り返し操作をより容易とするために厚みは１００マイクロメートル以内であることが好ましい。
【００１０】
全面マウスパッド層は、ポリエステル、ポリエチレン、ポリウレタン、皮、布であることが好ましい。全面マウスパッド層の厚みを薄く形成することが容易であると共に、基板との高い密着性を保持することができるからである。また、全面マウスパッド層を樹脂で形成する場合には表面をシボ加工することが好ましい。マウスの操作性を向上させることができるからである。
【００１１】
基板は、切込みを境界として左右が翼部として構成され、当該左右の翼部の少なくとも一方の裏面には印刷により半面マウスパッド層が形成され、本考案を切込みで折り畳んだ状態でもマウス操作を行うことができる。
【００１２】
また、上記左右の翼部のうち他方の翼部の裏面には、印刷により滑動抑制層が形成されていることとしてもよい。
【００１３】
翼部裏面に半面マウスパッド層及び滑動抑制層を印刷で形成する場合には、いずれもシルク印刷法を用いて形成することが好ましい。シルク印刷法を用いることによって、マウス操作性や滑動抑制層機能を向上させるための凹凸構造を形成することが容易であるからである。
【考案の効果】
【００１４】
本考案によれば、マウスパッドを載置する場所に余裕のある広いテーブル上などで用いる場合には、マウスパッドを広げた状態のままテーブル上に載置することによって余裕をもってマウス操作を行うことができる。
【００１５】
一方、マウスパッドを狭いテーブル上などで用いる場合には、マウスパッドを折り畳むことによってマウスパッドを広げた状態よりも必要な載置面積を半分とすることができ、狭い載置スペースに応じた形態に変形させて使用することができる。
【００１６】
また、切込みの基板表面側には連接薄膜部が形成されているため、マウスパッドを二つ折りに折り畳む操作と広げる操作を繰り返しても切込み部分における基板と全面マウスパッド層との剥がれが生じにくく、商品寿命を長く保つことができる。
【００１７】
マウスパッドを持ち運ぶ際には、全面マウスパッド層が内側になるように基板の切込みから二つ折りにし、ポケット等に挿し入れて持ち運ぶことができる。
【００１８】
このように、本考案は載置スペースの状況に応じて形態を変化させることができ、持ち運びにも便利である。
【図面の簡単な説明】
【００１９】
【図１】第一の実施の形態におけるマウスパッド１の幅中央付近を幅方向に切断した断面図である。
【図２】広げた状態のマウスパッド１を全面マウスパッド３が上面となるように載置した状態を示す図である。
【図３】マウスパッド１を折り畳む様子を示す図である。
【図４】折り畳んだ状態のマウスパッド１を半面マウスパッド層４が上面となるように載置した状態を示す図である。
【図５】第二の実施の形態におけるマウスパッド１の幅中央付近を幅方向に切断した断面図である。
【図６】広げた状態のマウスパッド１の手前を持ち上げて裏面を見た図である。
【考案を実施するための形態】
【００２０】
以下、図面に基づいて本考案の第一の実施の形態について詳しく説明する。
【００２１】
図１は、本考案に係るマウスパッド１の幅中央付近を幅方向に切断した断面図である。マウスパッド１は、中層部分にＰＥＴからなる基板２を備え、基板２の表面には全面マウスパッド層３が接着されてなり、裏面には半面マウスパッド層４、４が印刷により形成されている。
【００２２】
基板２の幅方向中央には裏面方向から切込み２１が形成されており、当該切込み２１を境界に図１において右側の基板２を右翼部２３、左側の基板２を左翼部２４とする。切込み２１の基板２表面側には基板２の一部からなる連接薄膜部２２が形成されており、基板２の表面は全面において同一平面上に繋がって構成されている。
【００２３】
全面マウスパッド層３は、ポリエステルからなるシートであり、厚みが５０〜１００マイクロメートルとする。また、全面マウスパッド層３の表面はシボ加工され
【００２４】
前記右翼部２３、及び左翼部２４の裏面にはシート印刷によって半面マウスパッド層４、４が形成されている。
【００２５】
本実施例においては、全面マウスパッド層３及び半面マウスパッド層４、４の外表面には、シボ加工による凹凸構造３１、４１、４１が形成されていることが好ましい。当該凹凸構造３１、４１、４１が形成されていることによって、マウスのボールの回転を確実にすることができる。また、光学式センサーマウスから放射される光を凹凸構造３１，４１で反射することによりセンサーが確実に光を感知することができるため、マウスパッド１を透明な素材で構成することも可能となる。
【００２６】
なお、前記凹凸構造３１、４１、４１は、不規則な形状に構成される他、直径が２０マイクロメートルから５００マイクロメートルである球冠形状に形成された突起部が格子状、千鳥格子状、又は多角形の頂部に配置するように羅列されても良い。
【００２７】
マウスパッド１は、図２に示すように広げた状態では全面マウスパッド層３が上向きとなるように載置し、全面マウスパッド層３上でマウス操作を行うことができる。なお、図２に示す二点差線はマウスパッド１を載置するテーブル表面の一部を示している（図４、図６において同じ。）。
【００２８】
一方、マウスパッド１は切込み２１を折り返し線として図３のように折り畳むことができる。マウスパッド１を折り畳むことにより、載置スペースに必要な面積を半分にすることができ、載置スペースの狭いテーブル等の上であってもマウスパッド１を使用することができる。折り畳む際には、切込み２１が基板２の裏面に形成されているため、全面マウスパッド３が内側に、半面マウスパッド層４１、４１が外側になるように折り畳むことができる。
【００２９】
また、マウスパッド１を図４のように完全に折り畳んだ場合にも連接薄膜部２２を備えることにより全面マウスパッド層３が切込み２１の周辺から剥がれにくく、マウスパッド１の折り畳み操作を繰り返しても長い商品寿命を保つことができる。
【００３０】
折り畳んだ状態のマウスパッド１は、図４に示すように半面マウスパッド層４が上向きとなるように載置することで、半面マウスパッド層４上でマウス操作を行うことができる。
【００３１】
なお、折り畳まれた状態のマウスパッド１は、幅が広げた状態の半分になるため、持ち運びがより便利になり、例えばシャツの胸ポケットに収納して持ち運ぶことも可能となる。
【００３２】
さらに、折り畳まれた状態のマウスパッド１の各角部６を図４に示すように曲線となるように加工することで、折り畳まれた状態のマウスパッド１を胸ポケット等にスムーズに収納することができる。
【００３３】
また、本考案の第二の実施の形態として、左翼部２４の裏面にシート印刷によって滑動抑制層５が形成されていてもよい。
【００３４】
滑動抑制層５の外表面にはマウスパッド１上がテーブル上で滑ることを抑制する隆起体５１が格子状に配置されている。当該隆起体５１は、１ミリメートルから１０ミリメートルの大きさを有していることが好ましく、配置される間隔は１ミリメートルから１０ミリメートルの間隔であることが好ましい。隆起体５１を配置させることによって、マウスパッド１の裏面とテーブル表面等との摩擦を大きくすることができ、滑動抑制層効果を向上させることができる。なお、隆起体５１の配置方法は格子状の他、千鳥状に配置、又は多角形の頂部に配置することとしてもよい。
【００３５】
また、図５には広げた状態で使用しているマウスパッド１の手前を持ち上げて裏面を見た様子を示している。マウスパッド１を広げた状態で使用すると、左翼部２４の裏面に形成された滑動抑制層５が下向きとなりテーブル表面等と接することができる。このため、全面マウスパッド層３上でマウス７を操作しても、滑動抑制層５がテーブル表面等に対するマウスパッド１自体の滑動を抑制し、マウス７の良好な操作が可能となる。
【００３６】
また、マウスパッド１は、折り畳んだ状態で半面マウスパッド層４が上向き、滑動抑制層５が下向きとなるように載置することで、第一の実施の形態と同様に半面マウスパッド層４上でマウス操作を行うことができる。
【００３７】
このように、マウスパッド１を広げた状態で使用する場合、及び二つ折り状態で使用する場合のいずれの場合においても、滑動抑制層５をテーブル等の表面に接触させることができるため、テーブル等に対するマウスパッド１の滑動を抑制する機能を発揮させることができ、マウス操作を良好に行うことができる。
【符号の説明】
【００３８】
１    マウスパッド
２    基板
３    全面マウスパッド層
４    半面マウスパッド層
５    滑動抑制層
２１  切込み
２２  連接薄膜部
【図１】
0003155347.tif 000003
【図２】
0003155347.tif 000004
【図３】
0003155347.tif 000005
【図４】
0003155347.tif 000006
【図５】
0003155347.tif 000007
【図６】
0003155347.tif 000008